(57)【要約】【課題】場所打ち杭の構築工程や仮土留めの打設工程等を省略することができるので、大型の橋脚等の構造物を短期間に容易に構築することができる、構造物の構築方法を提供する。【解決手段】断面が矩形状になるように、山留め工法により地盤中に山留め壁１を構築し、山留め壁１を基礎として山留め壁１上に構造物としての橋脚１２を構築し、山留め壁１は、ドリルにより地盤に孔を掘りながら、前記ドリルの先端から改良液を吐出させて、円柱状の改良壁体２を地盤中に形成し、このようにして形成される改良壁体２を互いにラップさせて改良壁体２を柱列状に形成し、改良壁体２を形成するに際して、所定の改良壁体２内にＨ形鋼３を挿入することにより構築する。【選択図】図１
2010159601.tif 000002
【特許請求の範囲】
【請求項１】
断面が多角形状または閉曲線状になるように、山留め工法により地盤中に山留め壁を構築し、前記山留め壁を基礎として前記山留め壁上に構造物を構築し、前記山留め壁は、ドリルにより地盤に孔を掘りながら、前記ドリルの先端から改良液を吐出させて、円柱状の改良壁体を地盤中に形成し、このようにして形成される前記改良壁体を互いにラップさせて前記改良壁体を柱列状に形成し、前記改良壁体を形成するに際して、所定の前記改良壁体内にＨ形鋼を挿入することにより構築することを特徴とする、構造物の構築方法。
【請求項２】
前記構造物の下部を前記基礎の内側に連結部材を介して連結し、前記連結部分には、コンクリートを打設することを特徴とする、請求項１に記載の、構造物の構築方法。
【請求項３】
前記構造物は、橋脚であることを特徴とする、請求項１または２に記載の、構造物の構築方法。
【発明の詳細な説明】
【技術分野】
【０００１】
この発明は、構造物の構築方法、特に、大型の橋脚等の構造物を短期間に容易に構築することができる構造物の構築方法に関するものである。
【背景技術】
【０００２】
従来、橋脚等の構造物は、概略、以下のような工程を経て構築されていた。
【０００３】
（１）地盤への場所打ち杭の構築工程。
（２）仮土留めの打設工程。
（３）仮土留め内の地盤の掘削工程。
（４）場所打ち杭の頭部処理工程。
（５）フーチングおよび橋脚の構築工程。
（６）埋め戻し工程。
（７）仮土留めの撤去工程。
【発明の概要】
【発明が解決しようとする課題】
【０００４】
橋脚等の構造物を構築するには、上述のような多くの工程を経て構築されていたので、工期が長く、多大なコストを要していた。
【０００５】
そこで、本願発明者等は、特に大型の橋脚等の構造物を短期間に容易に構築することができる構造物の構築方法を得べく、鋭意、検討を重ねた。この結果、山留め工法により基礎を構築すれば、上記工程（１）の地盤への場所打ち杭の構築工程、上記工程（２）の仮土留めの打設工程、上記工程（４）の場所打ち杭の頭部処理工程、および、上記工程（７）の仮土留めの撤去工程を省略することができるので、大型の橋脚等の構造物を短期間に容易に構築することができるといった知見を得た。
【０００６】
この発明は、上記知見に基づきなされたもので、その目的は、大型の橋脚等の構造物を短期間に容易に構築することにある。
【課題を解決するための手段】
【０００７】
この発明は、下記を特徴とするものである。
【０００８】
請求項１に記載の発明は、断面が多角形状または閉曲線状になるように、山留め工法により地盤中に山留め壁を構築し、前記山留め壁を基礎として前記山留め壁上に構造物を構築し、前記山留め壁は、ドリルにより地盤に孔を掘りながら、前記ドリルの先端から改良液を吐出させて、円柱状の改良壁体を地盤中に形成し、このようにして形成される前記改良壁体を互いにラップさせて前記改良壁体を柱列状に形成し、前記改良壁体を形成するに際して、所定の前記改良壁体内にＨ形鋼を挿入することにより構築することに特徴を有するものである。
【０００９】
請求項２に記載の発明は、請求項１に記載の、構造物の構築方法において、前記構造物の下部を前記基礎の内側に連結部材を介して連結し、前記連結部分には、コンクリートを打設することに特徴を有するものである。
【００１０】
請求項３に記載の発明は、請求項１または２に記載の、構造物の構築方法において、前記構造物は、橋脚であることに特徴を有するものである。
【発明の効果】
【００１１】
この発明によれば、ドリルにより地盤に孔を掘りながら、前記ドリルの先端から改良液を吐出させて、円柱状の改良壁体を地盤中に形成し、このようにして形成される前記改良壁体を互いにラップさせて前記改良壁体を柱列状に形成し、前記改良壁体を形成するに際して、所定の前記改良壁体内にＨ形鋼を挿入することからなる山留め工法により基礎を構築することによって、場所打ち杭の構築工程や仮土留めの打設工程等を省略することができるので、大型の橋脚等の構造物を短期間に容易に構築することができる。
【図面の簡単な説明】
【００１２】
【図１】この発明の、構造物の構築方法により構築された橋脚を示す部分省略断面図である。
【図２】図１のＡ−ａ線断面図である。
【図３】図１のＢ−Ｂ線断面図である。
【図４】図１のＣ−Ｃ線断面図である。
【発明を実施するための形態】
【００１３】
この発明の、構造物の構築方法の一実施態様を、図面を参照しながら説明する。この場合、構造物として橋脚を例に取るが、橋脚以外の構造物であっても良いことは言うまでもない。
【００１４】
図１は、この発明の、構造物の構築方法により構築された橋脚を示す部分省略断面図、図２は、図１のＡ−ａ線断面図、図３は、図１のＢ−Ｂ線断面図、図４は、図１のＣ−Ｃ線断面図である。
【００１５】
この発明の、構築物の構築方法は、先ず、図１および図４に示すように、断面が多角形状または閉曲線状（この例では矩形状）になるように、山留め工法により地盤中に山留め壁１を構築する。
【００１６】
山留め工法は、ドリルにより地盤に孔を掘りながら、ドリルの先端からセメントミルク、ベントナイト等からなる改良液を吐出させて、円柱状の改良壁体２を地盤中に形成し、このようにして形成される改良壁体２を互いにラップさせて改良壁体２を柱列状に形成し、改良壁体２を形成するに際して、所定の改良壁体２内にＨ形鋼３を挿入することからなっている（図４参照）。なお、この例では、Ｈ形鋼３は、１つおきに挿入されているが、各改良壁体２内に挿入しても良い。
【００１７】
上記山留め工法により構築された山留め壁１は、高い強度を有することは勿論、止水性に優れ、場所打ち杭を構築する場合に比べて施工速度が速く、しかも、振動や騒音が少ないといった利点を有している。従って、山留め工法により構築された山留め壁１を、構造物の基礎として使用すれば、高い強度を有する基礎を、上述した利点を生かして構築することができる。
【００１８】
次に、上記のようにして構築された山留め壁１内の地盤を掘削する。掘削深さＨ（図１に示す。）は、山留め壁１に連結される、後述する橋脚の下部の長さである。
【００１９】
次に、山留め壁１を基礎として、山留め壁１の内側に橋脚の骨組となるＨ形鋼４の下部をＨ形鋼等からなる支保工５を介して固定する。この際、Ｈ形鋼４は、スパイラル鉄筋６等により補強する（図２、図３参照）。
【００２０】
次に、橋脚の骨組となるＨ形鋼４の下部内にコンクリート７を打設する（図１中、斜線で示す。）
次に、橋脚の骨組となるＨ形鋼４の内、外周囲に鉄筋８、９を配し、Ｈ形鋼４の内側に橋脚の内面を形成する内側型枠１０Ａを組み立て、外側に橋脚の外面を形成する外側型枠１０Ｂを組み立てる。そして、内側型枠１０Ａと外側型枠１０Ｂとの間にコンクリート１１を打設する。内側および外側型枠１０Ａ、１０Ｂは、図１、図２において仮想線で示す。
【００２１】
そして、コンクリート１１の硬化後、内側型枠１０Ａおよび外側型枠１０Ｂを撤去すれば、橋脚１２を構築することができる。
【００２２】
この発明によれば、山留め工法により構築された山留め壁１を基礎とすることによって、上述した従来の構築方法に比べて、地盤への場所打ち杭の構築工程、仮土留めの打設工程、場所打ち杭の頭部処理工程、および、仮土留めの撤去工程を省略することができるので、
橋脚等の構造物を短期間に容易に構築することができる。しかも、山留め工法により構築する山留め壁は、必要に応じて、大型化できるので、大型の構造物にも対応することができる。
【符号の説明】
【００２３】
１：山留め壁
２：改良壁体
３：基礎のＨ形鋼
４：構造物のＨ形鋼
５：支保工
６：スパイラル鉄筋
７：コンクリート
８：鉄筋
９：鉄筋
１０Ａ：内側型枠
１０Ｂ：外側型枠
１１：コンクリート
１２：橋脚
【図１】
2010159601.tif 000003
【図２】
2010159601.tif 000004
【図３】
2010159601.tif 000005
【図４】
2010159601.tif 000006